(57)【要約】      （修正有）【課題】鏡本体の回転や、俯仰が簡単に且つスムーズに行え、任意の回転状態や俯仰状態を、確実に維持でき、取扱い易く、使い勝手が良く、構成簡素で、耐久性に優れ、量産に適し、低廉で、経済的な卓上三面鏡を提供する。【解決手段】鏡本体Ａと支持台と取付け装置とからなり、取付け装置は、回転盤取付部１０と回転盤２０と押えリング３０とを備え、回転盤取付部１０には、複数の回転用係止凹部１２を設け、回転盤２０には、複数の回転用係止凸部２３を形成し、回転用係止凸部２３が回転用係止凹部１２に係脱自在に係止して、回転盤２０が任意の回転位置で停止できるよう形成し、回転盤２０には、俯仰用係止凸部２５を突設した弾性突片２４を形成し、俯仰用係止凸部２５が俯仰用係止凹部７に係脱自在に係止して、回転盤２０が俯仰自在で、任意の俯仰位置で停止できるよう形成する。【選択図】図３
0003160837.tif 000002
【実用新案登録請求の範囲】
【請求項１】
主鏡部の両側に一対の副鏡部を揺動自在に装着して、折畳み展開自在に形成される鏡本体と、ベース部に支柱部を立設してなる支持台と、鏡本体の主鏡部裏面部分に支持台の支柱部上端部分が取付けられるように形成した取付け装置とからなり、この取付け装置によって、主鏡部がその鏡面に沿って正逆回転自在となるように形成すると共に、主鏡部が俯仰自在となるように形成した卓上三面鏡であって、前記取付け装置は、主鏡部の裏面がわ中央に設けられる回転盤取付部と、この回転盤取付部に配置される回転盤と、この回転盤を回転盤取付部に常時圧接するように保持する押えリングとを備え、回転盤取付部には、複数の回転用係止凹部を所定間隔に周設し、回転盤の表面がわには、回転用係止凹部に係脱自在に係止可能となる複数の回転用係止凸部を形成し、押えリングの表面がわには、その先端に押え突起を設けた弾性押え片を形成し、この弾性押え片の押え突起によって、回転盤を回転盤取付部がわに常時弾性的に圧迫できるように形成すると共に、回転盤の回転用係止凸部が回転盤取付部の回転用係止凹部に係脱自在に係止できるように形成して、回転盤取付部に対して回転盤が正逆回転自在となるように形成すると共に、任意の回転位置で停止できるように形成し、回転盤の裏面がわには、支柱部の上端部分を俯仰自在に取付け可能な支柱取付部を形成すると共に、俯仰用係止凸部が突設されている弾性突片を形成し、支柱部の上端円弧部には、俯仰用係止凸部が係脱自在に係止される複数の俯仰用係止凹部を所定間隔に形成し、弾性突片によって、俯仰用係止凸部が俯仰用係止凹部を常時圧迫できるように形成すると共に、俯仰用係止凸部が俯仰用係止凹部に係脱自在に係止されるように形成して、支柱部に対して回転盤が俯仰自在となるように形成すると共に、任意の俯仰位置で停止できるように形成したことを特徴とする卓上三面鏡。
【考案の詳細な説明】
【技術分野】
【０００１】
本考案は、例えば、化粧等をする際に利用される卓上三面鏡に係るもので、特に、支持台に対して鏡本体を回転させたり、或いは支持台に対して鏡本体を俯仰させたりすることが簡単に行え、更に、その任意の回転状態や任意の俯仰状態を、確実に維持でき、しかも、取扱い易く、使い勝手が良く、構成が簡素で、耐久性に優れものとなるように工夫した卓上三面鏡に関するものである。
【背景技術】
【０００２】
従来、この種の卓上三面鏡としては、例えば、特許文献１に示すような三面鏡が開示されている。
これは、中央のミラーの両側にそれぞれ副ミラーが蝶着され、上記主ミラーと副ミラーが横方向に並んだ横置きの状態でそれらを支持する折り畳み可能な脚と、上記主ミラーと副ミラーが縦方向に並んだ縦置きの状態でそれらを支持する折り畳み可能な脚とを備えたものである。
【先行技術文献】
【特許文献】
【０００３】
【特許文献１】実公平４−３４７５４号公報
【考案の概要】
【考案が解決しようとする課題】
【０００４】
ところが、前述のような三面鏡にあっては、主ミラーと副ミラーを任意の俯仰角度や回転角度に配置し難い難点等があった。すなわち、取扱い難く、使い勝手が悪い等の問題点があった。
そこで、本願考案者は、前述のような難点等を解消できるようにすると共に、構成が簡素で、耐久性に優れた卓上三面鏡を案出したものである。
【課題を解決するための手段】
【０００５】
しかして、前述の如き課題を達成できるようにすべく、請求項１記載の卓上三面鏡にあっては、主鏡部１の両側に一対の副鏡部２、３を揺動自在に装着して、折畳み展開自在に形成される鏡本体Ａと、ベース部４に支柱部５を立設してなる支持台Ｂと、鏡本体Ａの主鏡部１裏面部分に支持台Ｂの支柱部５上端部分が取付けられるように形成した取付け装置とからなり、この取付け装置によって、主鏡部１がその鏡面に沿って正逆回転自在となるように形成すると共に、主鏡部１が俯仰自在となるように形成した卓上三面鏡であって、前記取付け装置は、主鏡部１の裏面がわ中央に設けられる回転盤取付部１０と、この回転盤取付部１０に配置される回転盤２０と、この回転盤２０を回転盤取付部１０に常時圧接するように保持する押えリング３０とを備え、回転盤取付部１０には、複数の回転用係止凹部１２を所定間隔に周設し、回転盤２０の表面がわには、回転用係止凹部１２に係脱自在に係止可能となる複数の回転用係止凸部２３を形成し、押えリング３０の表面がわには、その先端に押え突起３３を設けた弾性押え片３２を形成し、この弾性押え片３２の押え突起３３によって、回転盤２０を回転盤取付部１０がわに常時弾性的に圧迫できるように形成すると共に、回転盤２０の回転用係止凸部２３が回転盤取付部１０の回転用係止凹部１２に係脱自在に係止できるように形成して、回転盤取付部１０に対して回転盤２０が正逆回転自在となるように形成すると共に、任意の回転位置で停止できるように形成し、回転盤２０の裏面がわには、支柱部５の上端部分を俯仰自在に取付け可能な支柱取付部２２を形成すると共に、俯仰用係止凸部２５が突設されている弾性突片２４を形成し、支柱部５の上端円弧部には、俯仰用係止凸部２５が係脱自在に係止される複数の俯仰用係止凹部７を所定間隔に形成し、弾性突片２４によって、俯仰用係止凸部２５が俯仰用係止凹部７を常時圧迫できるように形成すると共に、俯仰用係止凸部２５が俯仰用係止凹部７に係脱自在に係止されるように形成して、支柱部５に対して回転盤２０が俯仰自在となるように形成すると共に、任意の俯仰位置で停止できるように形成する手段を採用した。
【考案の効果】
【０００６】
従って、請求項１の卓上三面鏡によれば、支持台Ｂに対して鏡本体Ａを回転させたり、或いは支持台Ｂに対して鏡本体Ａを俯仰させたりすることが簡単に行え、更に、その任意の回転状態や任意の俯仰状態を、確実に維持できるようになる。更に、取扱い易く、使い勝手が良いものとなる。しかも、構成が簡素で、耐久性に優れ、量産に適し、低廉に提供でき、経済的な卓上三面鏡となる。
【０００７】
特に、前記取付け装置は、主鏡部１の裏面がわ中央に設けられる回転盤取付部１０と、この回転盤取付部１０に配置される回転盤２０と、この回転盤２０を回転盤取付部１０に常時圧接するように保持する押えリング３０とを備え、回転盤取付部１０には、複数の回転用係止凹部１２を所定間隔に周設し、回転盤２０の表面がわには、回転用係止凹部１２に係脱自在に係止可能となる複数の回転用係止凸部２３を形成し、押えリング３０の表面がわには、その先端に押え突起３３を設けた弾性押え片３２を形成し、この弾性押え片３２の押え突起３３によって、回転盤２０を回転盤取付部１０がわに常時弾性的に圧迫できるように形成すると共に、回転盤２０の回転用係止凸部２３が回転盤取付部１０の回転用係止凹部１２に係脱自在に係止できるように形成して、回転盤取付部１０に対して回転盤２０が正逆回転自在となるように形成すると共に、任意の回転位置で停止できるように形成したので、鏡本体Ａを任意の回転位置にスムーズに回転させることができるようになると共に、その任意の回転位置に安定的に停止させておくことができるようになる。
【０００８】
加えて、回転盤２０の裏面がわには、支柱部５の上端部分を俯仰自在に取付け可能な支柱取付部２２を形成すると共に、俯仰用係止凸部２５が突設されている弾性突片２４を形成し、支柱部５の上端円弧部には、俯仰用係止凸部２５が係脱自在に係止される複数の俯仰用係止凹部７を所定間隔に形成し、弾性突片２４によって、俯仰用係止凸部２５が俯仰用係止凹部７を常時圧迫できるように形成すると共に、俯仰用係止凸部２５が俯仰用係止凹部７に係脱自在に係止されるように形成して、支柱部５に対して回転盤２０が俯仰自在となるように形成すると共に、任意の俯仰位置で停止できるように形成したので、鏡本体Ａを任意の俯仰位置にスムーズに傾けることができるようになると共に、その任意の俯仰位置に安定的に停止させておくことができるようになる。
【図面の簡単な説明】
【０００９】
【図１】本考案の卓上三面鏡を例示する正面図である。
【図２】本考案の卓上三面鏡を例示する側面図である。
【図３】本考案の卓上三面鏡を例示する部分分解斜視図である。
【図４】本考案の卓上三面鏡を例示する一部切欠部分側面図である。
【考案を実施するための形態】
【００１０】
以下、本考案を説明すると、次の通りである。
本考案は、主鏡部１の両側に一対の副鏡部２、３を揺動自在に装着して、折畳み展開自在に形成される鏡本体Ａと、ベース部４に支柱部５を立設してなる支持台Ｂと、鏡本体Ａの主鏡部１裏面部分に支持台Ｂの支柱部５上端部分が取付けられるように形成した取付け装置とからなり、この取付け装置によって、主鏡部１がその鏡面に沿って正逆回転自在となるように形成すると共に、主鏡部１が俯仰自在となるように形成した卓上三面鏡に係るものである。
具体的には、前記取付け装置は、主鏡部１の裏面がわ中央に設けられる回転盤取付部１０と、この回転盤取付部１０に配置される回転盤２０と、この回転盤２０を回転盤取付部１０に常時圧接するように保持する押えリング３０とを備えたものである。
そして、回転盤取付部１０には、複数の回転用係止凹部１２を所定間隔に周設し、回転盤２０の表面がわには、回転用係止凹部１２に係脱自在に係止可能となる複数の回転用係止凸部２３を形成し、押えリング３０の表面がわには、その先端に押え突起３３を設けた弾性押え片３２を形成し、この弾性押え片３２の押え突起３３によって、回転盤２０を回転盤取付部１０がわに常時弾性的に圧迫できるように形成すると共に、回転盤２０の回転用係止凸部２３が回転盤取付部１０の回転用係止凹部１２に係脱自在に係止できるように形成して、回転盤取付部１０に対して回転盤２０が正逆回転自在となるように形成すると共に、任意の回転位置で停止できるように形成したものである。
更に、回転盤２０の裏面がわには、支柱部５の上端部分を俯仰自在に取付け可能な支柱取付部２２を形成すると共に、俯仰用係止凸部２５が突設されている弾性突片２４を形成し、支柱部５の上端円弧部には、俯仰用係止凸部２５が係脱自在に係止される複数の俯仰用係止凹部７を所定間隔に形成し、弾性突片２４によって、俯仰用係止凸部２５が俯仰用係止凹部７を常時圧迫できるように形成すると共に、俯仰用係止凸部２５が俯仰用係止凹部７に係脱自在に係止されるように形成して、支柱部５に対して回転盤２０が俯仰自在となるように形成すると共に、任意の俯仰位置で停止できるように形成することにより、前記課題を達成する。
【実施例】
【００１１】
前記鏡本体Ａは、例えば、矩形状の合成樹脂製基板の表面に鏡を装着（例えば、接着手段等を採用する）してなる主鏡部１と、矩形状の合成樹脂製基板の表面に鏡を装着（例えば、接着手段等を採用する）してなる一対の副鏡部２、３とからなり、主鏡部１の両側部分に適宜ヒンジを介して一対の副鏡部２、３を揺動自在に連設して、折り畳み展開自在となるように形成されている。尚、一対の副鏡部２、３夫々は、例えば、主鏡部１の略半分の大きさとし、折り畳み状態のときに主鏡部１に綺麗に重なるように形成されている。また、一対の副鏡部２、３のどちらかの鏡は凹面鏡とし、拡大鏡として利用できるように形成しても良い。
【００１２】
前記支持台Ｂは、例えば、合成樹脂製のベース部４と、このベース部４に立設される合成樹脂製の支柱部５とからなり、鏡本体Ａを安定的に支えられるように構成されている。尚、ベース部４と支柱部５は、一体的に構成したものであっても良いし、或いは、ベース部４と支柱部５を別体とし、支柱部５の下端部分をベース部４に嵌め込み装着できるように形成したものであっても良い。
そして、支柱部５の上端部分は、その上端が円弧面状となるような一対の取付け片を、所定間隔離れた状態に配して構成されており、この一対の取付け片の内側部分には、後述する回転盤２０の支柱取付部２２の左右側面に設けた取付け孔に挿入される短円筒状の軸突起６が夫々突設されている。すなわち、この軸突起６と支柱取付部２２の取付け孔とによって、回転盤２０が支持台Ｂに対して俯仰自在となるように構成されている。しかも、上端の円弧面状部分は、軸突起６と同一の中心を有する円弧に沿うように形成してある。
更に、一対の取付け片の上端の円弧面状部分には、複数の俯仰用係止凹部７が所定間隔に配設されている。尚、この俯仰用係止凹部７は、半球状の突起を適宜間隔で突設することにより、その間に設けられている。すなわち、俯仰用係止凸部２５が乗り越え易く且つ安定的に係止できるように形成されている。
【００１３】
前記取付け装置は、例えば、主鏡部１の裏面がわ中央に設けられる回転盤取付部１０と、この回転盤取付部１０に配置される回転盤２０と、この回転盤２０を回転盤取付部１０に常時圧接するように保持する押えリング３０とを備えたものである。
【００１４】
そして、前記回転盤取付部１０は、例えば、主鏡部１の合成樹脂製基板の裏面に一体的に連設される内側周壁１１と、基板の裏面に於いて、内側周壁１１の内がわ部分に所定間隔に周設される複数の回転用係止凹部１２とで構成されている。すなわち、内側周壁１１で囲繞された空間内で回転盤２０が正逆回転できるように構成されている。
尚、図中１５は、後述する押えリング３０が装着される押えリング取付部で、この押えリング取付部１５は、前記内側周壁１１と、この内側周壁１１を所定間隔離れて囲繞するように配される外側周壁１６との間に形成されており、この押えリング取付部１５には、押えリング３０をネジ５０で固定するための複数のネジ止め穴１７が配されている。
【００１５】
前記回転盤２０は、例えば、合成樹脂材によって構成されており、前記回転盤取付部１０内に回転自在に収まるように形成される円板状の回転基板部２１と、この回転基板部２１の裏面中央に連設される支柱取付部２２とからなっている。
そして、回転基板部２１の表面がわの外周寄り部分には、複数の回転用係止凸部２３が突設されており、この回転用係止凸部２３が回転用係止凹部１２に係脱自在に係止できるよう形成されている。
更に、回転基板部２１に於いて、支柱取付部２２の左右近傍部分には、一対の弾性突片２４が設けられており、この弾性突片２４の先端部分には俯仰用係止凸部２５が突設されている。すなわち、この俯仰用係止凸部２５は、弾性突片２４の弾性変形を利用して、前記支柱部５に設けた俯仰用係止凹部７に係脱自在に係止できるよう形成されている。
【００１６】
前記押えリング３０は、例えば、合成樹脂材によって構成されており、前記押えリング取付部１５に収まるような円環状の基部３１と、この基部３１から中心に向って連設される複数の弾性押え片３２とを備え、弾性押え片３２の先端部分には、回転盤２０を回転盤取付部１０がわに常時弾性的に圧迫する押え突起３３が突設されている。
更に、基部３１には押えリング３０を押えリング取付部１５にネジ止めするためのネジ挿通孔３４が穿設され、しかも、外装リング４０の嵌入突起４１が嵌入可能な嵌入孔３５が穿設されている。
尚、前記外装リング４０は、合成樹脂材によって構成されており、押えリング３０を押えリング取付部１５に固定するネジ５０の頭部等が隠れるように装着されて、外観上の体裁が良くなるように構成されたものである。
【００１７】
本考案の卓上三面鏡は、以上に述べた実施形態に限られるものではなく、考案の要旨を逸脱しない範囲内で各種の変更が可能なものである。
【産業上の利用可能性】
【００１８】
しかして、本考案の卓上三面鏡によれば、支持台Ｂに対して鏡本体Ａを回転させたり、或いは支持台Ｂに対して鏡本体Ａを俯仰させたりすることが簡単に行え、更に、その任意の回転状態や任意の俯仰状態を、確実に維持でき、取扱い易く、使い勝手が良く、構成簡素で、耐久性に優れ、量産に適し、低廉で、経済的なものとなる。
【符号の説明】
【００１９】
Ａ      鏡本体
Ｂ      支持台
１      主鏡部
２      副鏡部
３      副鏡部
４      ベース部
５      支柱部
６      軸突起
７      俯仰用係止凹部
１０    回転盤取付部
１１    内側周壁
１２    回転用係止凹部
１５    押えリング取付部
１６    外側周壁
１７    ネジ止め穴
２０    回転盤
２１    回転基板部
２２    支柱取付部
２３    回転用係止凸部
２４    弾性突片
２５    俯仰用係止凸部
３０    押えリング
３１    基部
３２    弾性押え片
３３    押え突起
３４    ネジ挿通孔
３５    嵌入孔
４０    外装リング
４１    嵌入突起
５０    ネジ
【図１】
0003160837.tif 000003
【図２】
0003160837.tif 000004
【図３】
0003160837.tif 000005
【図４】
0003160837.tif 000006